(57)【要約】【課題】  画像形成装置において、白色原稿を読み取る際にも原稿押さえ全閉時にエッジ検出を行っており、画像形成装置の画像読み取り前に無用な動作と時間を費やしていた。【解決手段】  画像形成装置における原稿サイズ決定のために原稿押さえが全閉時にエッジ検出を実行するかどうかをユーザの選択により指定する。あらかじめ白色原稿と分かっている際には全閉時のエッジ検出を実行しないこととし、半閉時のエッジ検出による原稿サイズ決定のみを行うこととすることにより、より早く原稿の読み取りを開始することができる。【選択図】図１
2008022160.tif 000002
【特許請求の範囲】
【請求項１】
原稿を読み取るための原稿をセットする原稿台と
前記原稿台に対して開閉可能に取り付けられた原稿押さえと
前記原稿押さえの開閉状態を検出する開閉検出手段と
前記原稿台にセットされた原稿を走査して原稿の画像情報を読み取る画像情報読取手段と
前記原稿台にセットされた原稿のエッジを検出するエッジ検出手段とを有し、
前記開閉検出手段が前記原稿押さえの半閉時を検出した際と前記開閉検出手段が前記原稿押さえの全閉時を検出した際とでそれぞれ前記エッジ検出手段による原稿のエッジ検出を行う画像形成装置において、
前記原稿押さえの全閉時でのエッジ検出を行うかどうかをユーザが選択入力する選択入力部を備えた
ことを特徴とする画像形成装置。
【請求項２】
請求項１の画像形成装置であって、
前記開閉検出手段が前記原稿押さえの半閉時と全閉時とを検出した際の前記エッジ検出により決定した各原稿サイズが異なる場合には、そのどちらかの原稿サイズのうちの大きいほうの原稿サイズを検出した原稿サイズとして選択する
ことを特徴とする画像形成装置。
【請求項３】
請求項１の画像形成装置であって、
前記エッジ検出手段と前記画像情報読取手段との光学センサを共用した
ことを特徴とする画像形成装置。
【発明の詳細な説明】
【技術分野】
【０００１】
本発明は、原稿サイズを決定する際に行う原稿のエッジ検出方法の実行制御を備えた画像形成装置に関するものである。
【背景技術】
【０００２】
従来、画像形成装置における原稿の用紙サイズを決定する方法として、原稿押さえ（プラテンカバー）を閉じている最中に、光学読み取り装置で原稿台を走査して原稿のエッジを読み取り（第一の走査）、原稿押さえが全閉した後に、再度光学読み取り装置で原稿台を走査して（第二の走査）原稿のエッジを読み取る方法が行われていた（特許文献１、２参照）。
【０００３】
この方法により、第一の走査では、原稿押さえが閉じられていないために、原稿の無い部分（背景）からは光の反射が無く黒く写るので、白色原稿の場合に背景とのコントラストが得られ、エッジを検出することが可能となり、第二の走査では、原稿押さえが閉じられており、背景部分は原稿押さえの原稿台に接する白板部分からの光の反射により白く写るので、黒色ないしは有色の原稿の場合に背景とのコントラストが得られ、エッジを検出することが可能となっていた。
【０００４】
しかし、この方法では画像形成装置の画像読み取りの前に有色原稿のエッジ検出のための第二の走査が行われ、そのために画像読み取りの開始までに時間がかかってしまう問題があった。
【０００５】
画像形成装置において走査される原稿のほとんどは白色原稿であるので、ほとんど多くの場合は、無用に第二の走査を行って画像形成装置の画像読み取り開始までの時間を遅らせていることとなっていた。
【０００６】
【特許文献１】特開平８−２０４９１２号公報
【特許文献２】特開平１１−１２５８７２号公報
【発明の開示】
【発明が解決しようとする課題】
【０００７】
解決しようとする問題点は、画像形成装置において、白色原稿を読み取る際にも原稿押さえ全閉時にエッジ検出を行っており、画像形成装置の画像読み取り前に無用な動作と時間を費やしていた点である。
【課題を解決するための手段】
【０００８】
本発明の画像形成装置は、原稿を読み取るための原稿をセットする原稿台と前記原稿台に対して開閉可能に取り付けられた原稿押さえと前記原稿押さえの開閉状態を検出する開閉検出手段と前記原稿台にセットされた原稿を走査して原稿の画像情報を読み取る画像情報読取手段と前記原稿台にセットされた原稿のエッジを検出するエッジ検出手段とを有し、前記開閉検出手段が前記原稿押さえの半閉時を検出した際と前記開閉検出手段が前記原稿押さえの全閉時を検出した際とでそれぞれ前記エッジ検出手段による原稿のエッジ検出を行う画像形成装置において、前記原稿押さえの全閉時でのエッジ検出を行うかどうかをユーザが選択入力する選択入力部を備えたことを最も主要な特徴とする。
【発明の効果】
【０００９】
本発明の画像形成装置は、原稿を読み取るための原稿をセットする原稿台と前記原稿台に対して開閉可能に取り付けられた原稿押さえと前記原稿押さえの開閉状態を検出する開閉検出手段と前記原稿台にセットされた原稿を走査して原稿の画像情報を読み取る画像情報読取手段と前記原稿台にセットされた原稿のエッジを検出するエッジ検出手段とを有し、前記開閉検出手段が前記原稿押さえの半閉時を検出した際と前記開閉検出手段が前記原稿押さえの全閉時を検出した際とでそれぞれ前記エッジ検出手段による原稿のエッジ検出を行う画像形成装置において、前記原稿押さえの全閉時でのエッジ検出を行うかどうかをユーザが選択入力する選択入力部を備えたことを最も主要な特徴とするため、ユーザの指定により、白色原稿を読み取る際には無用な原稿サイズ決定のための前記原稿押さえ全閉時のエッジ検出動作を行わなくなり、画像形成装置の画像出力までの時間を短縮することが可能となった。
【発明を実施するための最良の形態】
【００１０】
画像形成装置における、白色原稿を読み取る際には無用な原稿サイズ決定のための原稿押さえ全閉時のエッジ検出動作を行わせないことを実現するために、あらかじめユーザが全閉時のエッジ検出動作を行わせるかどうかを選択入力することにより実現した。
【実施例１】
【００１１】
本発明の実施例の一形態としての画像形成装置について以下に説明する。
【００１２】
［機能構成］
図１に実施例１の画像形成装置１の機能ブロック図を示す。
【００１３】
画像形成装置１は、画像情報読取光学部１０１（画像情報読取手段）、操作パネル部１０３（選択入力部）、原稿押さえ開閉検出部１０５（開閉検出手段）、印刷部１０７、制御部１０９、ＦＡＸ送受信部１１１からなる。
【００１４】
画像情報読取光学部１０１は、光学センサ、光学系からなり、原稿台上の原稿の画像情報を読み取る（画像情報読取手段）と共に、原稿のエッジを検出する（エッジ検出手段）として働く。
【００１５】
操作パネル部１０３は、出力パネルとタッチパネルなどの入力インターフェースからなり、ユーザに操作を促したり、ユーザからの入力を受け取ったりする。
【００１６】
また、全閉時のエッジ検出を実行するかどうかの選択を入力する選択入力部として働く。
【００１７】
原稿押さえ開閉検出部１０５は、原稿台の原稿押さえにとりつけられた半閉時検出センサと全閉時検出センサからなり、原稿押さえの開閉状態を検出する（開閉検出手段）。
【００１８】
印刷部１０７は、画像検出光学部で読み取った画像データなどの印刷を行う。
【００１９】
制御部１０９は、画像形成装置全体の制御をつかさどると共に、前記画像情報読取光学部１０１や前記操作パネル部１０３や前記原稿押さえ開閉検出部１０５からの入力信号を基に前記画像情報読取光学部１０１に対し、エッジ検出を行うかどうかなどの制御を行う。
【００２０】
ＦＡＸ送受信部１０９は、ＦＡＸの送受信を行う。
【００２１】
［構成］
図２に画像形成装置１の側面図を示す。
【００２２】
画像形成装置１は、装置上部に原稿を読み取る原稿台５とその原稿台をカバーして、原稿台上の原稿を抑える役目をする原稿押さえ３からなる。
【００２３】
原稿押さえ３の開閉部分基部には、原稿押さえの開閉状態を検知する半閉時検出センサ１１と全閉時検出センサ１３が取り付けられている。
【００２４】
前記制御部１０９はこれらセンサ１１，１３の信号を読み取り原稿押さえの開閉状態を判断する。
【００２５】
図３に画像形成装置の内部の断面図を示しその光学系について説明する。
【００２６】
画像形成装置１内部には、ＣＣＤセンサ２１、集光レンズ２３、光学系ミラー２５、原稿読み取り光源２７が備えられており、画像情報読取光学部１０１を構成している。原稿台５上に載せられた原稿７は、原稿読み取り光源２７で照らされ、複数の光学系ミラー２５を反射して、集光レンズ２３を通りＣＣＤセンサ２１上で結像する。
【００２７】
本実施例では、本光学系がエッジ検出手段として働く場合には、ＣＣＤセンサ２１により原稿７のエッジを検出し、画像情報読取手段として働く場合には、原稿読取光源２７が読み取り精度に見合った低速走査を行って画像を読み取る。
【００２８】
［動作の流れ］
本実施例の画像形成装置１の動作の流れを図４のフローチャートを用いて説明する。
【００２９】
画像形成装置１が動作を開始すると、Ｓ２０１で操作パネル部１０３からの入力により、原稿サイズ決定のための全閉時のエッジ検出動作を行うか行わないかを選択する。
【００３０】
原稿押さえを閉める動作を行うと、その動作を半閉時検出センサ１１が検出して、Ｓ２０３のステップに動作が移行して画像情報読取光学部１０１の光学系により原稿押さえ半閉時のエッジ検出を行う。
【００３１】
次にＳ２０５で前記Ｓ２０１にて選択された項目に従い分岐する。
【００３２】
Ｓ２０１で全閉時エッジ検出動作を行わないと選択されたときには、Ｓ２０７に動作を移行し、前記Ｓ２０３で行った半閉時のエッジ検出で得た画像データの解析により原稿サイズを決定する。
【００３３】
次に、前ステップＳ２０７において決定された原稿サイズにより、印刷部１０７での印刷やＦＡＸ送受信部１１１でのＦＡＸ送信を行って（Ｓ２１３）、動作を終了する。
【００３４】
Ｓ２０１で全閉時エッジ検出動作を行うと選択された場合には、操作パネル部１０３は、全閉時エッジ検出を行うための信号を制御部１０９に送出して、Ｓ２０５からＳ２０９に動作を移行して原稿押さえの全閉を全閉時検出センサ１３が検出すると、全閉時エッジ検出動作を行う。
【００３５】
次にＳ２１１で、Ｓ２０３で測定された半閉時のエッジ検出データとＳ２０９で測定された全閉時のエッジ検出データを基に原稿サイズを決定する。この時に半閉時でのエッジ検出データと全閉時のエッジ検出データが異なる場合には、大きい方の原稿サイズを採用する。
【００３６】
例えば図５（Ａ）のように、原稿台におかれたＡ４サイズの原稿の走査方向（図の縦方向）のＢ５サイズより下側が濃度の高い原稿の場合には、図５（Ｂ）に示すように、半閉時での原稿サイズ検知動作でＢ５サイズと認識され、全閉時には、Ａ４サイズと認識される。その場合にはより大きい方のＡ４サイズと判断することにより正しく原稿サイズが決定される。
【００３７】
また、例えば図６（Ａ）のように、原稿台におかれたＡ４サイズの原稿の走査方向（図の縦方向）のＡ５サイズより上側が濃度の高い原稿の場合には、図６（Ｂ）に示すように半閉時での原稿サイズ検知動作でＡ４サイズと認識され、全閉時には、Ａ５サイズと認識される。その場合にはより大きい方のＡ４サイズと判断することにより正しく原稿サイズが決定される。
【００３８】
フローチャートに戻ると、次に、Ｓ２１１で決定された原稿サイズを基にＳ２１３で前記説明と同様に画像出力を行う。
【００３９】
以上で一連の動作を終了する。
【００４０】
［実施例の効果］
本実施例の画像形成装置では、ユーザからの入力により全閉時エッジ検出動作を行うか行わないかを指定できるので、あらかじめ白色原稿のように半閉時のエッジ検出で正確に原稿サイズが決定できるとわかっている場合には、全閉時のエッジ検出動作を行わないように指定することにより全閉時のエッジ検出動作を行うこと無く、より早い画像出力が可能となった。
【００４１】
また、写真原稿などの様に縁が有色の原稿の場合は、全閉時エッジ検出を行い原稿サイズの決定が行える。
【００４２】
本実施例では、エッジ検出手段に用いるＣＣＤセンサと画像情報読取手段に用いるＣＣＤセンサを同一のもので共用したためコストの削減が可能となった。
【００４３】
［その他］
本フローチャートでは、画像形成装置１の自動原稿サイズ決定のフローについてのみ説明を行ったが、画像形成装置１は、操作パネル部１０３からの入力によりユーザがあらかじめ原稿サイズを決定することにより、原稿サイズ検知動作を行わない方法を備えても良い。
【００４４】
本実施例では、エッジ検出手段に用いる光学センサと画像情報読取手段に用いる光学センサを同一のもので共用したが、それぞれ専用のセンサを設けても良い。
【図面の簡単な説明】
【００４５】
【図１】画像形成装置の機能ブロック図（実施例１）。
【図２】画像形成装置の概略図（実施例１）。
【図３】画像形成装置の光学系図（実施例１）。
【図４】画像形成装置のフローチャート（実施例１）。
【図５】全閉時の検知サイズが半閉時の検知サイズより大きい例（実施例１）。
【図６】半閉時の検知サイズが全閉時の検知サイズより大きい例（実施例１）。
【符号の説明】
【００４６】
１  画像形成装置
３  原稿押さえ
５  原稿台
７  原稿
１１  半閉時検出センサ（開閉検出手段）
１３  全閉時検出センサ（開閉検出手段）
２１  ＣＣＤセンサ（画像情報読取手段、エッジ検出手段）
２３  集光レンズ（画像情報読取手段、エッジ検出手段）
２５  光学系ミラー（画像情報読取手段、エッジ検出手段）
２７  原稿台読み取り光源（画像情報読取手段、エッジ検出手段）
１０１  画像情報読取光学部（画像情報読取手段、エッジ検出手段）
１０３  操作パネル部（選択入力部）
１０５  原稿押さえ開閉検出部（開閉検出手段）
１０９  制御部
【図１】
2008022160.tif 000003
【図２】
2008022160.tif 000004
【図３】
2008022160.tif 000005
【図４】
2008022160.tif 000006
【図５】
2008022160.tif 000007
【図６】
2008022160.tif 000008